(57)【要約】【課題】  電気エネルギーを節約する目的を図ると共に、同時に液晶表示器と充電バッテリとを使用するシステムに対し、明らかな電気エネルギー節約効果を達成し、且つビジュアル・イメージの品質をも向上する。【解決手段】  液晶表示器としてコンピュータと液晶表示器とを含み、前記液晶表示器について、ポータブル・タイプ・コンピュータやデスクトップ・タイプ・コンピュータやＰＤＡなどのことを言い、その方法には、コンピュータ内部プログラムよりバック・ライト明るさコマンドとビジュアル・イメージ・コマンドとを出力するステップ一と、前記バック・ライト明るさコマンドによってイメージ情報を調整するステップ二とを含む。【選択図】      図３
2005062567.tif 000002
【特許請求の範囲】
【請求項１】
液晶表示装置のビジュアル信号再生システムに用いられる電気エネルギー節約方法であって、前記液晶表示装置としてコンピュータと液晶表示器とを含み、前記液晶表示装置について、ポータブル・タイプ・コンピュータやデスクトップ・タイプ・コンピュータやＰＤＡなどのことを言い、その方法には、
コンピュータ内部プログラムよりバック・ライト明るさコマンドとビジュアル・イメージ・コマンドとを出力するステップ一と、
前記バック・ライト明るさコマンドによってイメージ情報を調整するステップ二とを含むことを特徴とする液晶表示装置のビジュアル信号再生システムに用いられる電気エネルギー節約方法。
【請求項２】
前記バック・ライト明るさを調整することは明るさの比例を低減することを言うことを特徴とする請求項１に記載の液晶表示装置のビジュアル信号再生システムに用いられる電気エネルギー節約方法。
【請求項３】
前記明るさを低減する比例は３０％−７０％であることを特徴とする請求項２に記載の液晶表示装置のビジュアル信号再生システムに用いられる電気エネルギー節約方法。
【請求項４】
前記ビジュアル・イメージ・コマンドには、
前記イメージ情報中の明るさ情報を調整するステップ一と、
前記イメージ情報中のコントラスト情報を調整するステップ二と、
をさらに含むことを特徴とする請求項１に記載の液晶表示装置のビジュアル信号再生システムに用いられる電気エネルギー節約方法。
【請求項５】
前記明るさ情報を調整することは明るさの比例を向上することを言うことを特徴とする請求項４に記載の液晶表示装置のビジュアル信号再生システムに用いられる電気エネルギー節約方法。
【請求項６】
前記明るさの比例を向上することは５０％−１００％向上することを言うことを特徴とする請求項５に記載の液晶表示装置のビジュアル信号再生システムに用いられる電気エネルギー節約方法。
【請求項７】
前記コントラスト情報を調整することはコントラスト比例を向上することを言うことを特徴とする請求項４に記載の液晶表示装置のビジュアル信号再生システムに用いられる電気エネルギー節約方法。
【請求項８】
前記コントラスト比例を調整することは７０％−１３０％向上することを特徴とする請求項７に記載の液晶表示装置のビジュアル信号再生システムに用いられる電気エネルギー節約方法。
【請求項９】
前記液晶表示器はツイスト・ネマチック液晶表示器やスーパー・ツイスト・ネマチック液晶表示器や薄膜トランジスタ液晶表示器のいずれ一つのことを言うことを特徴とする請求項１に記載の液晶表示装置のビジュアル信号再生システムに用いられる電気エネルギー節約方法。
【発明の詳細な説明】
【技術分野】
【０００１】
本発明は、液晶表示装置のビジュアル信号再生システムに用いられる電気エネルギー節約方法に係わり、特にツイスト・ネマチック液晶表示器やスーパー・ツイスト・ネマチック液晶表示器や薄膜トランジスタ液晶表示器などに利用されるビジュアル信号再生システムに用いられる電気エネルギー節約方法に関するものである。
【背景技術】
【０００２】
液晶表示器（ＬＣＤ）の基本的な技術は、液晶合成物を二枚の平板硝子同士間に封入すると共に、平板硝子の外表面に偏光薄膜を塗布し、それから二枚の平板同士に電源を接続する。
【０００３】
液晶は固体と液体との間にある中間形態分子であり、外力によって容易に流動する特性を有するほかに、結晶体の特有の光学異方向性性質を有し、そのため、外部印加電界によって液晶の配列状態を他の方向に変更でき、光線が液晶層を通過する場合に光学特性は変化を生じ、これは外部付加の電界によって光線のモジュレート現象を生成し、それは液晶の光電気反応と称される。そのため、液晶自身は発光しなく、光線の動態に従って散射し、反射または散射の効果を生成し、肉眼の観察可能な状態になる。また、液晶表示器は製造技術の相違によって受動式マトリックス液晶表示器（Ｐａｓｓｉｖｅ−Ｍａｔｒｉｘ  ＬＣＤ；ＰＭ  ＬＣＤ）と、主動式マトリックス液晶表示器（Ａｃｔｉｖｅ−Ｍａｔｒｉｘ  ＬＣＤ；ＡＭ  ＬＣＤ）に分けられ、受動式マトリックス液晶表示器は既に腕時計とポータブル・コンピュータに応用され、しかしながら、その反応速度が遅く、そのため、テレビ・イメージに不適用であり、それに対して主動式マトリックス液晶表示器が単一画素を駆動できると共に、隣り合う画素に影響しないため、色彩品質と反応速度の方面においてその表現がかなり良好的であり、ポータブル・タイプ・コンピュータと平面テレビのマーケットに利用されている。
【０００４】
製品の形式から言う場合、液晶表示器は、ツイスト・ネマチックＬＣＤ（ＴＮ  ＬＣＤ）とスーパー・ツイスト・ネマチックＬＣＤ（ＳＴＮ  ＬＣＤ）と薄膜トランジスター液晶表示器（ＴＦＴ）の三種類がある。技術が最も早く、価格が最も低いツイスト・ネマチック・タイプ液晶表示器（受動式マトリックス液晶表示器に属す）の上下層のポーラライゼーション・ピースが相互に９０度を成し、光電気反応によって、未加圧の閉鎖状況下で、ポーラライゼーション・ピースが上層の光線ろ過ピースを介して分子を自動的に極性になるように配列され、９０度旋回せると、また、下層の光線ろ過ピースを透過させる。また、加圧する打開状況下で、単に偏光方向しかなり、そのため、打開状態では、黒白状態となると共に、閉鎖状態では透明となる。他の受動式マトリックス液晶表示器―スーバー・ツイスト・ネマチック液晶表示器は、前記のツイスト・ネマチック液晶表示器との主要的な相違点は、液晶分子の配列がツイスト・ネマチック液晶表示器の９０度より１８０度以上に拡大されることである。その目的はイメージのコントラストを増加するためである。スーバー・ツイスト・ネマチック液晶表示器が複屈折性に属するため、その背景の色が通常黄色いまたは青い色であり、カラー化の機能を達成するために、常に一層の色補償板を加入してそれを黒白色板にならせる。近代の主流技術の主動式マトリックス液晶表示器は主にダイオード構造とトランジスタ構造に分けられ、薄膜トランジスタ液晶表示器は後者に属する。基本的には、薄膜トランジスタ液晶表示器はマルチプレックスのタイプの駆動設計を採用しなく、薄膜トランジスタの個別画素所定位置の方式を取って、それらを表示行列の交差点に配置し、画素を開閉するスイッチとし、即ち、そのカラー光線ろ過ピースが薄膜トランジスタにおけるそれぞれの画素に内蔵され、直接的にトランジスターによって駆動し、その電圧をコントロールし、それらによって高コントラストと快速反応とワイド・ビジュアル・アングルなどの特性を取得する。
【０００５】
ここでは、ツイスト・ネマチック・タイプ液晶表示器を例として液晶表示器の仕事原理を説明する。図１Ａと図１Ｂに示すように、ツイスト・ネマチック・タイプ液晶表示器の基本的構造には、上電極基板１０８と、した電極基板１１６と、電極基板電源１２０と、上方向膜１１０と、下方向膜１１４と、上偏光板１０６と、下偏光板１１８と、液晶分子１１２と、光線１０４と、バック・ライト１０２と、バック・ライト電源１００とを含有する。
【０００６】
上電極基板１０８と下電極基板１１６にはそれぞれ一層の摩擦によって形成される極細いスリット・パターンの上方向膜１１０と下方向膜１１４とを有し、液晶分子１１２が上下二枚の電極基板１０８，１１６の間隙に注入される場合、液晶分子１１２が液体の流動特性を有するので、容易にスリットの方向に沿って配列する。基板におけるスリット・パターンに近接する場合に、液晶分子１１２の受ける束縛力が大きくなるので、上下基板におけるスリット・パターンの方向に沿って配列される。中間部分の液晶分子１１２が受ける束縛力が小さいため、液晶ケース内にツイスト配列される。液晶分子１１２が全部で９０度ツイストするため、この仕事モードがツイスト・ネマチック・タイプと称される。他に、上下電極基板１０８，１１６の外側には上下偏光板１０６，１１８を有する。
【０００７】
バック・ライト１０２の射出する光線１０４が上偏光板１０６を通過後、自然光がライン・ポーラライゼーション・ライトになるようにポーラライゼーションされ、電極基板電源１２０を印加しない場合では、図１Ａに示すように、このライン・ポーラライゼーション・ライトが液晶１１２に進入し、漸次的に液晶分子１１２に従ってその前進方向をツイストし、上下二枚の偏光板１０６，１１８の通し軸と方向膜１１０，１１４が相同方向であるので、即ち二枚の偏光板１０６，１１８の通し軸が相互に直交するので、光線が下偏光板１１８を通って明るい状態を形成する。それに対して、電極基板電源１２０を印加する場合、図１Ｂに示すように、液晶分子１１２が印加電界と平行するようになるような趨勢を有し、そのため、液晶分子がそれぞれ電極基板１０８，１１６と直交し、ライン・ポーラライゼーション・ライトが直接的に液晶１１２を通って下偏光板１１８に至り、この際、光線が下偏光板１１８に吸収されて通過できず、暗い状態を形成する。そのため、適当な電極基板電源１２０を利用する場合、明るさと暗さとのコントラスト表示の効果を形成できる。
【０００８】
現有の技術は、ポータブル・タイプ・コンピュータがバッテリを使用する場合に、液晶表示器が陰極射線管表示器よりやや暗くなり、そのため、自動的にバック・ライトの明るさを向上し、その主要な欠点はこの時の電力消耗が向上され、バッテリ使用の時間が短縮化され、イメージの品質もやや劣化する。
【発明の開示】
【発明が解決しようとする課題】
【０００９】
本発明は液晶表示器に適用するビジュアル信号再生システムの電気エネルギー節約方法を提供することをその主要的解決課題とする。
【課題を解決するための手段】
【００１０】
本発明のある特徴によると、本発明はプログラムの方式によって液晶表示器におけるバック・ライト電源と電極基板電源を制御し、バック・ライトの明るさを低減し、同時にビジュアル・イメージを再生するための明るさとコントラストとを向上することによって、バック・ライト電源と電極基板電源を節約し、電気エネルギーを節約する目的を図る。
【００１１】
また、本発明の他の特徴によると、本発明は同時に液晶表示器と充電バッテリとを使用するシステム、例えばポータブル・タイプ・コンピュータなどに対し、明らかな電気エネルギー節約効果を達成でき、且つビジュアル・イメージの品質をも向上できる。
【発明の効果】
【００１２】
本発明によると、前記のように、電気エネルギーを節約する目的を図れると共に、同時に液晶表示器と充電バッテリとを使用するシステムに対し、明らかな電気エネルギー節約効果を達成でき、且つビジュアル・イメージの品質をも向上できる。
【発明を実施するための最良の形態】
【００１３】
図２は本発明が液晶表示装置に適用するビジュアル信号再生システムの電気エネルギー節約方法を示すブロック図であり、主に、コンピュータ２０と、液晶表示器３０と、を有し、コンピュータ２０の内部にプログラムが記憶され、それによって液晶表示器３０の表示資料内容と明るさとコントラストなどの情報をコントロールする。液晶表示器３０には液晶表示器コントローラ３０６と、バック・ライト電源３０２と、バック・ライト３０４と、一セットの偏光板３１０と、一セットの電極基板３１３と、電極基板電源３０８と、一セットの液晶分子３１４とを有する。
【００１４】
液晶表示器３０の電源消耗を低減するために、コンピュータ２０の内部のプログラムがオペレートする場合に、バック・ライトの明るさを低減するコマンドを出力し、液晶表示器３０６を経由してバック・ライト情報を出力し、バック・ライト電源３０２を低減し、その時、電気エネルギー節約効果を取り替えられるが、バック・ライト３０４の明るさが低減される欠陥が生じ、ユーザーは明るさが低下されると感じられ、全体効果は電気エネルギー節約と全体明るさ低下のことである。
【００１５】
前記バック・ライトの明るさの低減による画面の明るさの表示不足について、コンピュータ２０が同時にビジュアル・イメージの情報を修正し、明るさとコントラストのビジュアル・イメージ・コマンドを含み、液晶表示器コントローラ３０６を介してビジュアル・イメージ情報を送信し、電極基板電源３０８をコントロールする。電極基板電源３０８が起動時、ユーザーが見る光線がゼロであり、電極基板電源３０８が終止時に、ユーザーが見る光線が最も多くなり、そのため、われわれは後記のように結論できる：たとえビジュアル・イメージの明るさとコントラストを向上しても、即ち、見る光線が多ければ多いほど、電極基板電源３０８の使用する電気エネルギーが少なくなり、逆に電気エネルギー節約できる。その全体効果は電気エネルギー節約と全体明るさ向上である。
【００１６】
本発明は、前記二つの効果を結合し、即ち、適当にバック・ライトの明るさを低減する同時に、適当にイメージ情報におけるコントラストと明るさとを向上し、電気エネルギー節約と全体明るさが変わらない効果を得られる。そのため、全体の液晶表示器の消耗する電気エネルギーが低減されるが、ユーザーがビジュアル・イメージを好むことに影響を与えない。
【００１７】
図３は本発明の液晶表示装置のビジュアル信号再生システムに用いられる電気エネルギー節約方法を示すフローチャートであり、まず方法開始（Ｓ１００）、それからバック・ライトの明るさを低減（Ｓ１０２）、それによって電気エネルギー節約の効果を達成し、しかしながら、明るさが低減される課題を生じ、それからイメージ情報の明るさ（Ｓ１０４）を向上すると共に、イメージ情報のコントラストを向上し（Ｓ１０６）、さらに多くの電源を節約し、且つ（Ｓ１０２）の生成する明るさの効果を減少し、それから方法終了（Ｓ１０８）。使用者の受けるイメージ効果と本発明の方法を採用する前の効果とが相似し、しかしながら全体の液晶表示器の消耗電力を低減する。
【００１８】
実験の結果による場合、もし液晶表示器のバック・ライトの明るさを３０％−７０％低減しようとする場合、好ましくは５０％取り、同時にイメージ情報の明るさを５０％−１００％向上しようとする場合、好ましくは７０％取り、また、イメージ情報のコントラストを７０％−１３０％向上しようとする場合、好ましくは１０％取り、原始イメージに相似する品質を獲得できる。この場合、その液晶表示器を有するポータブル・タイプ・コンピュータを使用する場合、２８％の電気エネルギーを節約できる。
【産業上の利用可能性】
【００１９】
本発明は、優れた実施例を以って前記のように説明したが、コンピュータがポータブル・タイプ・コンピュータである場合、ポータブル・タイプ・コンピュータの液晶表示器の電気エネルギー節約効果と明るさが原始イメージの品質に相似させる効果とを明らかにすることができ、ポータブル・タイプ・コンピュータの待機時間を長くすることができ、当該分野における技術者はその実施例に対し変化を実施できるが、例えば、液晶表示器としてツイスト・ネマチック・タイプ液晶表示器やスーバー・ツイスト・ネマチック・タイプ液晶表示器や薄膜トランジスタ液晶表示器や他の類似する機制の表示器などにも実施できるが、それらの構成の変化の実施例はその要旨と主張範囲がすべて本発明の範囲より逸脱しなく、すべて本発明の主張範囲内に入る。
【図面の簡単な説明】
【００２０】
【図１Ａ】ツイスト・ネマチック・タイプ液晶表示器の仕事原理を示す説明図である。
【図１Ｂ】ツイスト・ネマチック・タイプ液晶表示器の仕事原理を示す説明図である。
【図２】本発明の液晶表示装置のビジュアル信号再生システムに用いられる電気エネルギー節約方法を示すブロック図である。
【図３】本発明の液晶表示装置のビジュアル信号再生システムに用いられる電気エネルギー節約方法を示すフローチャートである。
【符号の説明】
【００２１】
１０    液晶表示器
２０    コンピュータ
３０    液晶表示器
３０２  バック・ライト電源
３０４  バック・ライト
３０６  液晶表示器コントローラ
３０８  電極基板電源
３１０  偏光板
３１２  電極基板
３１４  液晶分子
【図１Ａ】
2005062567.tif 000003
【図１Ｂ】
2005062567.tif 000004
【図２】
2005062567.tif 000005
【図３】
2005062567.tif 000006